(57)【要約】【課題】従来の見るだけの人形が多いなか、人形と操縦者が一体となって複雑な踊りを、簡単に踊り、心身のリハビリを可能とし、健康になることの基本をつくることが目的。【解決手段】人形の主要６箇所に輪状接合部分、輪状遊動部分を交互に配置している、配置した双方の接合部分、遊動部分に生じる空白部分が主要となって、個々の部品と連係可能となり、回るうちわ、操縦具を含む全部品が一体となって、操縦者の意志に速反応、速対応できる仕組となっている、簡単な操縦で複雑な姿、形を踊れる人形を設けている。【選択図】図３９
2012250013.tif 000002
【特許請求の範囲】
【請求項１】
主要部分に、輪状接合部分、輪状遊動部分を交互に配置している、配置した双方の位置に生じる空白部分が主要となつて、箇々の全部品と連係可能となり全部品が一体となつて、操縦者の意志に速反応、速対応し、回るうちわを持つて踊り出す人形であつて、（ａ）〜（ｍ）で構成を有することを特徴とする、新阿波踊り人形
（ａ）背筋上部輪状遊動部分を中心にして、適合する間をおいて左右に、左肩輪状接合部分、右肩輪状接合部分を設け、その左右の先端を延長して手になる部分を設けている、右手の先端に輪を２連設した回るうちわの板押入具を設けている、左手の先端に回るうちわの柄を押入する、筒状ケースを巻着する手を有する部品を設けている、なを、空白部分が生じている、（図２を参照）
（ｂ）右胴体上部輪状接合部分を設け、下部に適合する間をおいて順次、右定位置止め、右胴体になる部分、右定位置止め、右足、右足指先、右足裏となる部分を有する部品を設けている、なを、空白部分が生じている、（図３を参照）
（ｃ）左胴体上部輪状接合部分を設け、下部に適合する間をおいて順次、左定位置止め、左胴体になる部分、左定位置止め、左足、左足指先、左足裏となる部分を有する部品を設けている、なを  空白部分が生じている、（図４を参照）
（ｄ）背筋下部に接合する輪状接合部分を中心にして、適合する間おいて左右に、左腰輪状遊動部分、右腰輪状遊動部分を有する部品を設けている、なを、空白部分が生じている（図５を参照）
（ｅ）背筋になる部分の最上端に、頭になる部分、顔になる部分を設け下部に適合する間をおいて順次、おもちや箱をかける補助具、背筋最下部輪状接合部分、展示物品太鼓等を展示する補助具を有する部品を設けている、なを空白部分が生じている、（図６を参照）
（ｆ）操縦具の先部分下側に叩けば音の出る硬い物質を接合している、操縦具の先部分上側に、本発明の新阿波踊り人形の、足裏となる部分を、接合する、人形の大きさ、特大、等身大、大、中、小、極小、とある、材質、用途によつて、固定する、少し遊動する、着脱自由にする、選択して適合する操縦具を設けて使用している、（図７を参照）
（ｇ）図２に示す、左肩輪状接合部分と、図３に示す、左胴体上部輪状接合部分を接合している、図２に示す、右肩輪状接合部分と、図４に示す、右胴体上部輪状接合部分を接合している、製作中の部品となつている、なを、空白部分が生じている、（図８を参照）
（ｈ）図５に示す、背筋下部に接合する輪状接合部分に、図６に示す、背筋最下部輪状接合部分を接合している、製作中の部品となつている、なを、空白部分が生じている、（図９を参照）
（ｉ）図８に示す、製作中の部品に、図９に示す、製作中の部品を接合している、人形の本体が完成したことを示している、なを、空白部分が生じている、（図１０を参照）
（ｊ）図１０に示す、本体が完成した人形の右足裏となる部分、左足裏となる部分を、図７に示す、操縦具の先部分上側に接合したことを示している、（図１を参照）
（ｋ）図１１に示す、回るうちわの筒状ケース部分を、図１０に示す、本体が完成した人形の筒状ケースを巻着する手に、巻着したことを示している、（図１を参照）
（ｌ）図１２に示す、回るうちわの柄部分を、図１０に示す、本体が完成した人形の輪を２連設したうちわの柄押入具に、押入したことを示している、（図１を参照）
（ｍ）本発明の新阿波踊り人形の体格が、特大、等身大、大、中、小、極小、とある、諸々の人形を製作時、材質、用途によつては個々の部品を分割して製作し、基本的なことは守り、分割した後に適合する形態に変更して製作可能となつている、以上のようになる、新阿波踊り人形
【請求項２】
展示した展示物品を回転、遊動させる、突出した心棒、受け皿状落下防止部を設けた、新阿波踊り人形の体格が、特大、等身大、大、中、小、極小、とある、用途に適合する２種類の新阿波踊り人形を設け、選択して用途に適合する、いつぽうの新阿波踊り人形を使用する、新阿波踊り人形であつて（ａ）〜（ｃ）で構成を有することを特徴とする、新阿波踊り人形
（ａ）背筋になる部分の最上端を延長して、突出した心棒を設け、適合する間をおいて下部に順次、受け皿状の落下防止部、頭になる部分、顔になる部分、おもちや箱をかける補助具、背筋最下部輪状接合部分、展示物品、太鼓等を展示する補助具を有する部品を用いて、請求項１の新阿波踊り人形を設けている、（図２８を参照）
（ｂ）背筋になる部分の最上端に突出した心棒を設け、適合する間をおいて下部に順次、受け皿状の落下防止部、おもちや箱をかける補助具、背筋最下部輪状接合部分、展示物品、太鼓等を展示する補助具を有する部品を用いて、請求項１の新阿波踊り人形を設けている、（図３０を参照）
（ｃ）、（ａ）に示す新阿波踊り人形、（ｂ）に示す阿波踊り人形を用途にあわせ、選択して適合する、いつぽうの人形を使用するようになつている、以上のようになる、新阿波踊り人形
【請求項３】
本発明の新阿波踊り人形の体格が、特大、等身大、大、中、小、極小、とある、個々に適合する本発明の、回るうちわを、２種類設けている、材質、大きさ、用途、等々を選択して、適合する、いつぽうのうちわを、左右同じを使用する、左右片ちがいで使用する、回るうちわであつて（ａ）〜（ｊ）で構成を有することを特徴とする、回るうちわ
（ａ）回るうちわの扇部分に仮定の中心線を想定し、いつぽうに重量のある物質を接着している、対する、いつぽうを軽くしている、重量に大差のある扇部分を設けている
（ｂ）うちわの扇部分と板の境界線近くの板部分を折曲し、傾斜を設けた板を設けている
（ｃ）扇部分が傾斜を有するように、傾斜を設けた柄に扇部分を接合し、傾斜を有する、うちわを設けている
（ｄ）筒状ケース内に空白部分を残し、うちわの柄が自由に回転できるように（ｃ）に示す、うちわの柄を押入している
（ｅ）筒状ケース内に押入した（ｄ）に示す、うちわの柄先端に脱出防止部を設けている、回るうちわの完成となつている、（図１１を参照）
（ｆ）完成した回るうちわを、新阿波踊り人形の筒状ケースを巻着する手に（今回は左手）に巻着させている、（図１を参照）
（ｇ）新阿波踊り人形の手の先端部分に（今回は右手）、輪を２連設したうちわの柄押入具を設けている、（図１２を参照）
（ｈ）輪を２連設したうちわの柄押入具内に空白部分を残し、うちわの柄が自由に回転できるように、（ｃ）に示す、うちわの柄を押入している
（ｉ）輪を２連設したうちわの柄押入具内に押入した（ｈ）に示す、うちわの柄先端部分に脱出防止部を設けている、回るうちわの完成となつている、（図１を参照）
（ｊ）筒状ケースを用いた、回るうちわ、輪を２連設したうちわの柄押入具、を用いた、回るうちわを、人形の大きさ、材質、用途、等々で選択して左右同じ回るうちわを使用する、片ちがいの回るうちわを使用する、適合するかたちで使用することになつている、以上のようになる、新阿波踊り人形が手にもつて踊る、回るうちわ
【請求項４】
本発明の新阿波踊り人形の、左足裏となる部分、右足裏となる部分、双方の足裏となる部分と操縦具との間に、用途に適合する第３の物体を挟み、双方の足裏となる部分の先端を延長して、第３の物体を貫通し、操縦具に接合している、完成した新阿波踊り人形を複数の種類を設け、選択して用途に適合する人形を使用する人形であって、（ａ）〜（ｅ）で構成を有することを特徴とする、新阿波踊り人形
（ａ）第３の物体を選択して、舞台になる箱を用いている、新阿波踊り人形の左右双方の足裏となる部分の先端を延長して、舞台となる箱の上面を貫通して、舞台になる箱の正面に有する、操縦具の出入り口を通過して、操縦具に接合している、歩行困難の状態、寝たきりの状態でも操縦可能となつている、新阿波踊り人形を設けている、（図３３を参照）
（ｂ）、（ａ）に示す新阿波踊り人形の突出した心棒に、押入する穴を有する展示物品を押入し、展示した物品が人形と共に踊る、新阿波踊り人形を設けている、（図３３を参照）
（ｃ）第３の物体を選択して、舞台になる箱を応用している、操縦具に接合した台車を、着脱自由にして設けている、台車の数は用途によつて増減できるようになつている、なを、おもちや箱を背負つている、背筋になる部分が変化した輪状定位置止めを設けている、新阿波踊り人形を設けている、（図３４を参照）
（ｄ）第３の物体を選択して、背の高い机を用いている、机の天板になる部分に、操縦具が移動する溝状の穴を設けている、人形の左右、双方の足裏となる部分の先端を延長して、操縦具が移動する溝状の穴を通過している、通過した後で足で操縦する、スリッパ状の操縦具に接合した、新阿波踊り人形を設けている、（図３５を参照）
（ｅ）体格が、特大、等身大、の大きい新阿波踊り人形を製作時には、第３の物体として（ａ）に示す、舞台になる箱を応用し、操縦具が移動する溝状の穴を、適合する形にして用い、新阿波踊り人形の倒壊を防止できる土台を設けるようになつている、操縦具には人形の大、小、形、等に拘らず、固定する、着脱自由にする、適合する操縦具を製作して使用するようになつている、以上のようになる、第３の物体を用いた、新阿波踊り人形、（図３４を参照）
【発明の詳細な説明】
【技術分野】
【０００１】  本発明は、健康と心身のリハビリを目的とした人形に関するもの
【背景技術】
【０００２】  從来の人形は、電池等の力で単純な動作を、くりかえして踊る人形はあるが、人の操縦によつて複雑な動作を踊る人形はない
【先行技術文献】
【特許文献】
【０００３】
【特許文献１】特許公開番号２００４−２３６５２１
【０００４】
【特許文献２】特許公開番号平５−２６９２５９
【非特許文献】
【０００５】
【発明の概要】
【発明が解決しようとする課題】
【０００６】  本発明は、從来の見るだけの人形が多いなか、人形と操縦者が一体となつて複雑な踊りを簡単に踊り、心身のリハビリを可能とし健康になることの基本をつくることが目的
【課題を解決するための手段】
【０００７】  人形の主要６箇所に、輪状接合部分、輪状遊動部分を交互に配置している、配置した双方の接合部分、遊動部分に生じる空白部分が主要となつて、個々の全部品と連係可能となり、附属品を含む全部品が一体となつて、操縦者の意志に速反応、速対応できる仕組となつている、複雑な踊りを簡単に踊れる人形を設けている【０００８】  第２には、附属品として本発明の、回るうちわを手の先端部分に接合している【０００９】  第３には、完成した人形の足の裏になる部分を、操縦具、操縦板、操縦具に接合した台車、に、固定する、着脱自由にする、選択して接合し、簡単に操縦可能となつている
【発明の効果】
【００１０】  本発明の操縦具を持つた操縦者が人形と向いあつて、音樂にあわせて操縦すると、ほんの少しの動作でも速反応、速対応して踊り出す人形、操縦者の意志を速感じて踊り出す人形、無限に姿形をかえて想像もできない動作で、流れるように美しい姿を見せてくれる人形の心が、操縦者の心に操縦具を通して直線的に伝つてくる、人形と一体となつて夢中になり、時間の過ぎるのを忘れ操縦に熱気を帯びる、心身の栄養満天、快適な時間を過し高齢者、病気療養中の方々のリハビリになる、樂しみながら心身が健康になり、明日えの希望が見えて来る。
【図面の簡単な説明】
【００１１】
【図１】  本発明の新阿波踊り人形の全体図を示す、立体図
【図２】  背筋上部輪状遊動部分を中心とした第１組の部品を示す  立体図
【図３】  右胴体上部輪状接合部分を有する第２組の部品を示す、立体図
【図４】  左胴体上部輪状接合部分を有する第３組の部品を示す、立体図
【図５】  背筋下部に接合する輪状接合部分を有する第４組の部品を示す、立体図
【図６】  背筋になる部分を有する第５組の部品を示す、立体図
【図７】  本発明の新阿波踊り人形を接合する操縦具を示す、立体図
【図８】  図２に示す第１組の部品に図３図４に示す、第２組、第３組の部品を接合した状態を示す、立体図
【図９】  図５に示す第４組の部品に図６に示す部品を接合した状態を示す、立体図
【図１０】  図８に示す接合した状態を示す部品に、図９に示す接合した状態を示す部品を接合したことを示し、人形の姿になつたことを示す、立体図
【図１１】  本発明の筒状ケースを用いた回るうちわの全体図を示す  立体図
【図１２】  本発明の輪を２連接したうちわの柄押入具を用いた、回るうちわの全体図を示す、立体図
【図１３】  操縦具に接合する人形の足裏となる部分を示す、立体図
【図１４】  部品を製作時、部品の角度と型を適合する角度と型に変化させて使用することを示す、立体図
【図１５】  部品を製作時、部品の角度と型を適合する角度と型に変化させて使用することを示す、立体図
【図１６】  突出した心棒、受け皿状落下防止部を設けたことを示す、立体図
【図１７】  接合の形態を変えた接合部分を示す、立体図
【図１８】  停止した理由を示す、立体図
【図１９】  停止した理由を示す、立体図
【図２０】  踊り始めると人形の姿、形が流動的に変化することを点線で示す、立体図
【図２１】  筒状ケースを巻着する手を下げると背筋最下部輪状接合部分、背筋になる部分、頭になる部分がほぼ直立になり、踊つていることを示す、立体図、
【図２２】  筒状ケースを巻着する手が上がると背筋最下部輪状接合部分、頭になる部分が前に大きく傾斜して踊りの大きさを示す、立体図
【図２３】  図２１図２２を対比して踊りの大きさを点線で示す、立体図
【図２４】  基本的に右の操縦板を上げれば人形の右胴体となる部分側が上がることを示す、立体図
【図２５】  背筋になる部分が定位置止めの間を自由に上下動できることを示す、立体図
【図２６】  基本的に左の操縦板を下げれば人形の左胴体となる部分側が下がることを示す、立体図
【図２７】  基本的に右の操縦板を下げれば、人形の右胴体となる部分側が下がることを示す、立体図
【図２８】  突出した心棒、受け皿状落下防止部を有する人形の全体を示す、立体図
【図２９】  突出した心棒に、押入する穴を有する展示物品を押入した状態を示す、立体図
【図３０】  頭を除去し、突出した心棒  受け皿状落下防止部を設けたことを示す、立体図
【図３１】  突出した心棒に冠置した展示物品を示す、立体図
【図３２】  展示物品、大鼓等を展示する補助具に、自作の展示物品を押入したことを示す、幟を持つていることを示す、立体図
【図３３】  舞台になる箱を用い、人形を操縦可能にしたことを示す、立体図
【図３４】  操縦具に接合した台車を示す、背筋になる部分が変化した輪状定位置止めを設けたこと、おもちや箱を示す、立体図
【図３５】  背の高い机と、スリツパ状操縦具を用い、足で操縦可能としたことを示す、立体図
【発明を実施するための形態】
【００１２】  本発明の実施の形態を図１〜図３５に基ずいて説明する
【００１３】  図１は、本発明の新阿波踊り人形の全体図となつている、背筋上部輪状遊動部分１、右肩輪状接合部分２、左肩輪状接合部分３、右手４、左手５、右胴体上部輪状接合部分６、右定位置止め７、左胴体となる部分８、右足９、右足指先１０、右足裏となる部分１１、左胴体上部輪状接合部分１２、左定位置止め１３、左胴体となる部分１４、左足１５、左足指先１６、左足裏となる部分１７、背筋下部に接合する輪状接合部分１８、右腰輪状遊動部分１９  左腰輪状遊動部分２０、背筋になる部分２１、頭になる部分２２、顔になる部分２３、おもちや箱をかける補助具２４、背筋最下部輪状接合部分２５、展示物品、太鼓等を展示する補助具２６、うちわの扇部分２７、うちわの柄部分２８、折曲し傾斜をつけた柄２９、仮定の中心線３０、重量のある物質３１  筒状ケース３２  空白部分３３、脱出防止部３４、筒状ケースを巻着する手３５、たたけば音のでるかたい物質３６、定位置止め補助具３７、操縦者の左手３８  操縦者の右手３９、操縦具４０、輪を２連設したうちわの柄押入具４１、となつている、操縦者が操縦すると速対応して踊り始める、
【００１４】  図２は、背筋上部輪状遊動部分１、右肩輪状接合部分２、左肩輪状接合部分３、右手４、左手５、空白部分３３、筒状ケースを巻着する手３５、輪を２連設したうちわの柄押入具４１を設け、第１組の部品となつている、今回の材質はバネのように復元力の強い、針金状物質を用いている、個々の部品を連設し空白部分を設けたことが、特徴となつている
【００１５】  図３は、右胴体上部輪状接合部分６、空白部分３３、右胴体となる部分８、右定位置止め７、右足９、左足指先１０、右足裏となる部分１１を設け、第２組の部品となつている
【００１６】  図４は、左胴体上部輪状接合部分１２、空白部分３３、左定位置止め１３、左胴体となる部分１４、左足１５、左足指先１６、左足裏となる部分１７を設け、第３組の部品となつている、
【００１７】  図５は、背筋下部に接合する輪状接合部分１８、右腰輪状遊動部分１９、左腰輪状遊動部分２０、空白部分３３を設け、第４組の部品となつている
【００１８】  図６は、背筋になる部分２１、頭になる部分２２、顔になる部分２３、おもちや箱をかける補助具２４、背筋最下部輪状接合部分２５、展示物品、太鼓等を展示する補助具２６、空白部分３３を設け、第５組の物品となっている
【００１９】  図７は、たたけば音の出るかたい物質３６を接合した、操縦具４０を示している、たたいて操縦すると勢いのある明るい踊りに大変身する、なを、第６組の部品となつている、
【００２０】  図８は、図２に示す第１組の部品に、図３、図４に示す第２組、第３組の部品を接合した状態を示している。背筋上部輪状遊動部分１、右肩輪状接合部分２、左肩輪状接合部分３、右手４、左手５、右胴体上部輪状接合部分６、定位置止め７、右胴体となる部分８、右手９、右足指先１０、右足裏となる部分１１、左胴体上部輪状接合部分１２、定位置止め１３、左胴体となる部分１４、左足１５、左足指先１６、左足裏となる部分１７、空白部分３３となつている、
【００２１】  図９は、図５に示す第４組の部品に、図６に示す第５組の部品を接合した状態を示している、背筋になる部分２１、頭になる部分２２、顔になる部分２３、おもちや箱をかける補助具２４、背筋最下部輪状接合部分２５、右腰輪状遊動部分１９、左腰輪状遊動部分２０、背筋下部に接合する輪状接合部分１８、空白部分３３、展示物品、太鼓等を展示する補助具２６となつている、
【００２２】  図１０は、図８に示す接合した状態に示す部品に、図９に示す接合した状態を示す部品を接合し、部品が人形の形、姿になつたことを示している、背筋上部輪状遊動部分１、右肩輪状接合部分２、左肩輪状接合部分３、右手４、左手５、右胴体上部輪状接合部分６、右定位置止め７、右胴体となる部分８、右足９、右足指先１０、右足裏となる部分１１、左胴体上部輪状接合部分１２、左定位置止め１３、左胴体となる部分１４、左足１５、左足指先１６、左足裏となる部分１７、背筋下部に接合する輪状接合部分１８、右腰輪状遊動部分１９、左腰輪状遊動部分２０、背筋になる部分２１、頭になる部分２２、顔になる部分２３、おもちや箱をかける補助具２４、背筋最下部輪状接合部分２５、展示物品、太鼓等を展示する補助具２６、空白部分３３、筒状ケースを巻着する手３５、輪を２連設したうちわの柄押入具４１となつている。図７に示す操縦具４０に右足裏となる部分１１、左足裏となる部分１７を接合すると人形の完成が見えてくる、（図１を参照）
【００２３】  図１１は、本発明の筒状ケース３２を用いたうちわの全体図を示している、うちわの扇部分２７、うちわの柄部分２８、折曲し傾斜をつけた柄２９、重量のある物質３１、筒状のケース３２、空白部分３３、脱出防止部３４、仮定の中心線３０となつている、本発明の回るうちわ、のすごい箇所を、重量、遠心力、重量の差、傾斜をつけた柄、筒状ケース内に生じさせた空白部分、脱出防止部でなる回るうちわの個々の力を総合させて、本発明の新阿波踊り人形の手の先端部分に接合したことにある、人形が踊り出すと速反応する、
【００２４】  図１２は、本発明の、輪を２連設したうちわの柄押入具４１を用いた、うちわの全体図を示している、うちわの扇部分２７、うちわの柄部分２８、折曲し傾斜をつけた柄２９、仮定の中心線３０、重量のある物質３１、空白部分３３となつている、今回の材質は選択して針金状物質を用いている、個々の部品を連設したことが特徴となつている
【００２５】  図１３は、図７に示す、操縦具４０に接合する人形の足裏となる部分、右足裏となる部分１１（左足裏となる部分１７〕に、定位置止め補助具３７を用い接合した状態を示している、なを、右足指先１０が上方に傾斜している、矢印が示すように上下に自由可動となつている、人形製作時の材質、人形の大きさ等で、固定になる、自由可動になる、着脱自由になる、選択して適合する接合の形態を用いるようになつている、右足９、右足裏となる部分１１、右足指先１０、定位置止め補助具３７、空白部分３３となつている
【００２６】  図１４は、部品を製作時、材質、人形の大きさ等々によつて状況がかわり、背筋上部輪状遊動部分１が直立になり、右肩輪状接合部分２、左肩輪状接合部分３が、横（水平）になつていることを示している、右手４、左手５の長さ、接曲する位置、空白部分３３の大小によつて踊りかたが、女踊りになる、やさしい表現になる、男踊りになる、激しい表現になる、個々の部品を製作時の状態にあわせ適合する、型、角度、長さ、短い、女踊り、男踊り、等々を選択し適合する部品を設け使用するようになつている、（図２を参照）
【００２７】  図１５は、背筋下部に接合する輪状接合部分１８が横（水平）になり、右腰輪状遊動部分１９、左腰輪状遊動部分２０が、少々直立になつていることを示している、個々の部品を製作時の状態にあわせ、適合する型、角度、長さ、短い、大、小、等々を選択して使用するようになつている、（図５を参照）
【００２８】  図１６は、図６に示す背筋になる部分２１を有する部品、第５組となる部品の、頭になる部分２２の上部に連設で  突出した心棒４６、適合する間をあけて受け皿状落下防止部４７を設けたことを示している、なを、頭になる部分２２、顔になる部分２３、背筋になる部分２１、おもちや箱をかける補助具２４、背筋最下部輪状接合部分２５、展示物品太鼓等を展示する補助具２６となり、第７組の部品となつている
【００２９】  図１７は、図６に示す背筋になる部分２１を有する部品、第５組となる部品の、頭になる部分２２、顔になる部分２３を削除して、削除した位置に、突出した心棒４６、適合する間をあけて、受け皿状の落下防止部４７を設けたことを示している、なを、背筋になる部分２１、おもちや箱をかける補助具２４、展示物品太鼓等を展示する補助具２６、接合の形態を変えた接合部分４４となり、第８組の部品となつている、
【００３０】  図１８は、本発明の新阿波踊り人形が踊り始め、定位置外に食み出さないように、停止した理由を示している、筒状ケースを巻着する手３５が前に下がり、定位置に来ると、右肩輪状接合部分２、左肩輪状接合部分３が、右胴体上部輪状接合部分６の下部に接触して停止する（停止した理由を示す４２を参照）左胴体上部輪状接合部分１２の下部に接触して停止する（停止した理由を示す４２を参照）背筋上部輪状遊動部分１が背筋になる部分２１に接触して停止する（停止した理由を示す４２を参照）梃の状態になつている
【００３１】  図１９は、本発明の新阿波踊り人形が踊り始め  定位置外に食み出さないように、停止した理由を示している  筒状ケースを巻着する手３５が上部後方に上がり、定位置に来ると、背筋上部輪状遊動部分１が背筋になる部分２１に接触して停止する（停止の理由を示す４２を参照）梃の状態になつている、なを、右胴体上部輪状接合部分６、左胴体上部輪状接合部分１２、右肩輪状接合部分２、左肩輪状接合部分３、頭になる部分２２、停止した理由を示す４２となつている
【００３２】  図２０は、本発明の新阿波踊り人形が、踊り始めると、人形の姿、形が流動的に変化することを示している、図に書けない人形の姿、形が多々あるので一例を示している、個々の部品が、個々の役割を果している、人形全体が恊力して踊っていることを点線で示している、なを、背筋上部輪状遊動部分１、右肩輪状接合部分２、左肩輪状接合部分３、頭になる部分２２、背筋下部に接合する輪状接合部分１８、右腰輪状遊動部分１９、左腰輪状遊動部分２０、背筋最下部輪状接合部分２５、展示物品、太鼓等を展示する補助具２６、空白部分３３、筒状ケースを巻着する手３５、となつている、
【００３３】  図２１は、筒状ケースを巻着する手３５を下げると  背筋最下部輪状接合部分２５、背筋になる部分２１、頭になる部分２２が、ほぼ直立になり踊っているひとまくを示している、なを、背筋上部輪状遊動部分１、右肩輪状接合部分２、左肩輪状接合部分３、右胴体上部輪状接合部分６、左胴体上部輪状接合部分１２、頭になる部分２２、背筋になる部分２１、背筋下部に接合する輪状接合部分１８、右腰輪状遊動部分１９、左腰輪状遊動部分２０となつている、更に、背筋最下部輪状接合部分２５が、ほぼ直立の状態になつている図２２を示す、背筋最下部輪状接合部分２５と対比して踊っていることを示している、
【００３４】  図２２は、筒状ケースを巻着する手３５を上方にあげると、背筋最下部輪状接合部分２５、背筋になる部分２１、頭になる部分２２、が前に大きく傾斜して踊りの大きさ、美しさを示している、なを、このばあい、背筋最下部輪状接合部分２５の役割りは主要なことを示している、図２１と対比して踊つていることを示している、背筋上部輪状遊動部分１、右肩輪状接合部分２、左肩輪状接合部分３、右胴体上部輪状接合部分６、左胴体上部輪状接合部分１２、背筋下部に接合する輪状接合部分１８、右腰輪状遊動部分１９、左腰輪状遊動部分２０となつている
【００３５】  図２３は、後方から見た人形を示している、筒状ケースを巻着する手３５を下げている図が、図２１を示す、点線で筒状ケースを巻着する手３５を上方にあげている図が、図２２を示す、頭になる部分２２、筒状ケースを巻着する手３５が空白部分３３と協力して、遊動し踊つていることを示している、なを、背筋上部輪状遊動部分１、右肩輪状接合部分２、左肩輪状接合部分３、背筋になる部分２１、右胴体上部輪状接合部分６、左胴体上部輪状接合部分１２、となつている、図２１と図２２を対比したことを点線で示している
【００３６】  図２４は、基本的に右の操縦板４３を上げれば、人形の右胴体となる部分側が上ることを示している、なを、操縦者の左手３８、操縦者の右手３９、右手４、左手５となつている、なを、右胴体となる部分８となつている、
【００３７】  図２５は、背筋になる部分２１が右定位置止め７、左定位置止め１３の間を自由に上下動できることを示している、背筋下部に接合する輪状接合部分１８、右腰輪状遊動部分１９、左腰輪状遊動部分２０も背筋下部に接合する輪状接合部分１８にともなつて自由に右定位置止め７、左定位置止め１３の間を上下動できることを示している、なを、左手３８、右手３９、操縦板４３、となつている、
【００３８】  図２６は、基本的に左の操縦板４３を下げれば、人形の左胴体となる部分１４側が下ることを示している、なを、右手４、左手５、操縦者の左手３８、操縦者の右手３９、操縦板４３となつている、操縦板は縦横無尽に動かして操縦することができる
【００３９】  図２７は、基本的に右の操縦板を下げれば、人形の右胴体となる部分８側が下がることを示している、なを、操縦板４３、右手４、左手５、左胴体となる部分１４、操縦者の左手３８、操縦者の右手３９となつている、操縦板は縦横無尽に動かすことができる、
【００４０】  図２８は、請求項２に示す新阿波踊り人形の全体図となつている、背筋上部遊動部分１、右肩輪状接合部分２、左肩輪状接合部分３、右手４  左手５、右胴体上部輪状接合部分６、右定位置止め７、右胴体となる部分８、右足９、左足指先１０、右足裏となる部分１１、左胴体上部輪状接合部分１２、左定位置止め１３、左胴体となる部分１４、左足１５、左足指先１６、左足裏となる部分１７、背筋下部に接合する輪状接合部分１８、右腰輪状遊動部分１９、左腰輪遊動部分２０、背筋になる部分２１、頭になる部分２２、顔になる部分２３、おもちや箱をかける補助具２４、背筋最下部輪状接合部分２５、展示物品、太鼓等を展示する補助具２６、うちわの扇部分２７、うちわの柄部分２８、折曲し傾斜をつけた柄２９、仮定の中心線３０、重量のある物質３１、筒状ケース３２、空白部分３３、脱出防止部３４、たたけば音の出るかたい物質３６、筒状ケースを巻着する手３５、定位置止め補助具３７、操縦者の左手３８、操縦者の右手３９、操縦具４０、輪を２連設したうちわの柄押入具４１、突出した心棒４６、受け皿状落下防止部４７、冠置した展示物品５４となつている、なを、人形を操縦具に着脱自由に接合可能となつている
【００４１】  図２９は、突出した心棒４６に、押入する穴を有する展示物品４５を、冠置したことを示している、なを、頭になる部分２２、顔になる部分２３、背筋になる部分２１、接合の形態を変えた接合部分４４を示している、更に、展示物品、太鼓等を展示する補助具２６に展示された物品を、ほぼ正面を向かせ、遊動させる時に、形態を変えた接合部分４４を使用すると、展示物品が確実に正面を向いて、遊動するようになつている、人形が踊り始めると冠置した展示物品が速反応して、遊動し人形と共に踊り始める、
【００４２】  図３０は、頭になる部分２２を除去し、突出した心棒４６、受け皿状落下防止部４７を設けたことを示している、なを、押入する穴を有する展示物品４５となつている
【００４３】  図３１は、突出した心棒４６に、冠置した展示物品５４を示し、なを、受け皿状落下防止部４７を示している、冠置した展示物品は、人形が踊り始めると、共に踊り始める、
【００４４】  図３２は、展示物品、太鼓等を展示する補助具２６に、展示物品を冠置したことを示している、接合の形態を変えた接合部分４４を使用しているので、冠置した展示物品５４が前面を向いて遊動している、なを、幟５５を右手４、左手５で持つていることを示し、更に、鳴り物類は総て持てることを示す、背筋下部に接合する輪状接合部分１８となる、
【００４５】  図３３は、請求項４に示す、本発明の新阿波踊り人形の右足裏となる部分１１、左足裏となる部分１７の、左右両足の裏となる部分と操縦具４０の間に用途に適合する物体を挟み、操縦可能としたことを示す、舞台になる箱５１、操縦具の出入口５０、操縦具の補強物質４９、操縦具が移動する溝状の穴４８、背筋になる部分２１、頭になる部分２２、顔になる部分２３、突出した心棒４６、押入する穴を有する展示物品４５、受け皿状落下防止部４７、接合の形態を変えた接合部分４４、となつている、（図２８参照）
【００４６】  図３４は、請求項４に示す、本発明の新阿波踊り人形の右足裏となる部分１１、左足裏となる部分１７の、左右足の裏となる部分と操縦具４０の間に用途に適合する物体を挟み、操縦可能としたことを示す、舞台になる箱５１、操縦具の出入口５０、操縦者の左手３８、操縦具の補強物質４９、操縦具４０、操縦者の右手３９、操縦具が移動する溝状の穴４８、右定位置止め７、左定位置止め１３、展示物品、太鼓等を展示する補助具２６、おもちや等を入れる箱５２、左胴体上部輪状接合部分１２、背筋が変化した輪状定位置止め５３、背筋上部輪状遊動部分１、操縦具に接合した台車６１となつている、なを、体格が特大、等身大、の大きい新阿波踊り人形を製作時には、舞台になる箱を応用して、人形の倒壊を防止できる土台を設けるようになつている、以上のようになる新阿波踊り人形、
【００４７】  図３５は、請求項４に示す、本発明の新阿波踊り人形の右足裏となる部分１１、左足裏となる部分１７の、左右足の裏となる部分と操縦具４０の間に用途に適合する物体を挟み、操縦可能としたことを示す、突出した心棒４６、受け皿状落下防止部４７、頭になる部分２２、背もたれ状部分５９、背の高い机５８、操縦具が移動する溝状の穴４８、操縦具の補強物質４９、操縦者の左足５６、操縦者の右足５７、スリッパ状の操縦具６０となつている、スリッパ状の操縦具を上下動さすと人形が踊り出す、（図２８を参照）
【符号の説明】
【００４８】  １  背筋上部輪状遊動部分
２  右肩輪状接合部分
３  左肩輪状接合部分
４  右手
５  左手
６  右胴体上部輪状接合部分
７  右定位置止め
８  右胴体となる部分
９  右足
１０  右足指先
１１  右足裏となる部分
１２  左胴体上部輪状接合部分
１３  左定位置止め
１４  左胴体となる部分
１５  左足
１６  左足指先
１７  左足裏となる部分
１８  背筋下部に接合する輪状接合部分
１９  右腰輪状遊動部分
２０  左腰輪状遊動部分
２１  背筋になる部分
２２  頭になる部分
２３  顔になる部分
２４  おもちや箱をかける補助具
２５  背筋最下部輪状接合部分
２６  展示物品、太鼓等を展示する補助具
２７  回るうちわの扇部分
２８  回るうちわの柄部分
２９  折曲し傾斜をつけた柄
３０  仮定の中心線
３１  重量のある物質
３２  筒状ケース
３３  空白部分
３４  脱出防止部
３５  筒状ケースを巻着する手
３６  たたけば音の出るかたい物質
３７  定位置止め補助具
３８  操縦者の左手
３９  操縦者の右手
４０  操縦具
４１  輪を２連設したうちわの柄押入具
４２  停止した理由を示す
４３  操縦板
４４  接合の形態を替えた接合部分
４５  押入する穴を有する展示物品
４６  突出した心棒
４７  受け皿状落下防止部
４８  操縦具が移動する溝状の穴
４９  操縦具の補強物質
５０  操縦具の出入口
５１  舞台になる箱
５２  おもちや等を入れる箱
５３  背筋になる部分が変化した輪状定位置止め
５４  冠置した展示物品
５５  幟
５６  操縦者の左足
５７  操縦者の右足
５８  背の高い机
５９  背もたれ状部分
６０  スリッパ状の操縦具
６１  操縦具に接合した台車
【図１】
2012250013.tif 000003
【図２】
2012250013.tif 000004
【図３】
2012250013.tif 000005
【図４】
2012250013.tif 000006
【図５】
2012250013.tif 000007
【図６】
2012250013.tif 000008
【図７】
2012250013.tif 000009
【図８】
2012250013.tif 000010
【図９】
2012250013.tif 000011
【図１０】
2012250013.tif 000012
【図１１】
2012250013.tif 000013
【図１２】
2012250013.tif 000014
【図１３】
2012250013.tif 000015
【図１４】
2012250013.tif 000016
【図１５】
2012250013.tif 000017
【図１６】
2012250013.tif 000018
【図１７】
2012250013.tif 000019
【図１８】
2012250013.tif 000020
【図１９】
2012250013.tif 000021
【図２０】
2012250013.tif 000022
【図２１】
2012250013.tif 000023
【図２２】
2012250013.tif 000024
【図２３】
2012250013.tif 000025
【図２４】
2012250013.tif 000026
【図２５】
2012250013.tif 000027
【図２６】
2012250013.tif 000028
【図２７】
2012250013.tif 000029
【図２８】
2012250013.tif 000030
【図２９】
2012250013.tif 000031
【図３０】
2012250013.tif 000032
【図３１】
2012250013.tif 000033
【図３２】
2012250013.tif 000034
【図３３】
2012250013.tif 000035
【図３４】
2012250013.tif 000036
【図３５】
2012250013.tif 000037
【手続補正書】
【提出日】平成23年10月26日(2011.10.26)
【手続補正１】
【補正対象書類名】明細書
【補正対象項目名】全文
【補正方法】変更
【補正の内容】
【発明の詳細な説明】
【技術分野】
【０００１】  本発明は、健康と心身のリハビリを目的とした人形に関するもの
【背景技術】
【０００２】  従来の人形は、電池等の力で単純な動作を、くりかえして踊る人形はあるが、人の操縦によって複雑の動作を踊る人形はない
【先行技術文献】
【特許文献】
【０００３】
【特許文献１】  特許公開番号２００４−２３６５２１
【０００４】
【特許文献２】  特許公開番号平５−２６９２５９
【非特許文献】
【０００５】
【発明の概要】
【発明が解決しようとする課題】
【０００６】  本発明は、従来の見るだけの人形が多いなか、人形と操縦者が一体となって複雑な踊りを簡単に踊り、心身のリハビリを可能とし健康になることの基本をつくることが目的
【課題を解決するための手段】
【０００７】  人形の主要６箇所に、輪状接合部分、輪状遊動部分を交互に配置している、配置した双方の接合部分、遊動部分に生じる空白部分が主要となって個々の全部品と連係可能となり、附属品を含む全部品が一体となって、操縦者の意志に速反応、速対応できる仕組みとなっている、複雑な踊りを簡単に踊れる人形を設けている【０００８】  第２には、附属品として本発明の、回るうちわを手の先端部分に接合している【０００９】  第３には、操縦具、操縦板、操縦具に接合した台車、いち部に貫通した穴を有する操縦具、輪状遊動部分に接合する、直立状部分を有する操縦板、附属品を含む等々を、適合する形態で人形の足裏となる部分に接合し、簡単に操縦可能な異なる人形を多数設ける
【発明の効果】
【００１０】  本発明の、操縦具を持った操縦者が人形と向いあって、音楽にあわせて操縦すると、ほんの少しの動作でも速反応、速対応して踊り出す人形、操縦者の意志を速感じて踊り出す人形、無限に姿形をかえて想像もできない動作で、流れるように美しい姿を見せてくれる人形の心が、操縦者の心に操縦具を通して直線的に伝わってくる、人形と一体となって夢中になり、時間の過ぎるのを忘れ操縦に熱気を帯びる、心身の栄養満天、快適な時間を過し、高齢者、病気療養中の方々のリハビリになる、楽しみながら心身が健康になり、明日えの希望が見えてくる
【図面の簡単な説明】
【００１１】
【図１】  本発明の、おどり踊る人形の全体図を示す  立体図
【図２】  背筋上部輪状遊動部分を中心とした第１組の部品を示す、立体図
【図３】  右胴体上部輪状接合部分を有する第２組の部品を示す、立体図
【図４】  左胴体上部輪状接合部分を有する第３組の部品を示す、立体図
【図５】  背筋下部に接合する輪状接合部分を有する第４組の部品を示す、立体図
【図６】  背筋になる部分を有する第５組の部品を示す、立体図
【図７】  本発明のおどり踊る人形を接合する操縦具を示す、立体図
【図８】  図２に示す第１組の部品に図３図４に示す、第２組、第３組の部品を接合した状態を示す、立体図
【図９】  図５に示す第４組の部品に図６、に示す部品を接合した状態を示す、立体図
【図１０】  図３に示す接合した状態を示す部品に、図９に示す接合した状態を示す部品を接合したことを示し、人形の姿になったことを示す、立体図
【図１１】  本発明の筒状ケースを用いた回るうちわの全体図を示す  立体図
【図１２】  本発明の輪を２連設したうちわの柄押入具を用いた、回るうちわの全体図を示す、立体図
【図１３】  操縦具に接合する人形の足裏となる部分を示す、立体図
【図１４】  部品を製作時、部品の角度と型を適合する角度と型に変化させて使用することを示す、立体図
【図１５】  部品を製作時、部品の角度と型を適合する角度と型に変化させて使用することを示す、立体図
【図１６】  突出した心棒、受け皿状落下防止部を設けたことを示す、立体図
【図１７】  接合の形態を変えた接合部分を示す、立体図
【図１８】  停止した理由を示す、立体図
【図１９】  停止した理由を示す、立体図
【図２０】  踊り始めると人形の姿、形が流動的に変化することを点線で示す、立体図
【図２１】  筒状ケースを巻着する手を下げると背筋最下部輪状接合部分、背筋になる部分、頭になる部分がほぼ直立になり、踊っていることを示す、立体図
【図２２】  筒状ケースを巻着する手が上がると背筋最下部輪状接合部分、頭になる部分が前に大きく傾斜して踊りの大きさを示す、立体図
【図２３】  図２１図２２を対比して踊りの大きさを点線で示す、立体図
【図２４】  基本的に右の操縦板を上げれば人形の右胴体となる部分側が上がることを示す、立体図
【図２５】  背筋になる部分が定位置止めの間を自由に上下動できることを示す、立体図
【図２６】  基本的に左の操縦板を下げれば人形の左胴体となる部分側が下がることを示す、立体図
【図２７】  基本的に右の操縦板を下げれば、人形の右胴体となる部分側が下がることを示す、立体図
【図２８】  突出した心棒、受け皿状落下防止部を有する人形の全体を示す、立体図
【図２９】  突出した心棒に、押入する穴を有する展示物品を押入した状態を示す、立体図
【図３０】  頭を除去し、突出した心棒、受け皿状落下防止部を設けたことを示す、立体図
【図３１】  突出した心棒に  冠置した展示物品を示す、立体図
【図３２】  展示物品、大鼓等を展示する補助具に、自作の展示物品を押入したことを示す、幟を持っていることを示す、立体図
【図３３】  舞台になる箱を用い、人形を操縦可能にしたことを示す、立体図
【図３４】  操縦具に接合した台車を示す、背筋になる部分が変化した輪状定位置止めを設けたこと、おもちゃ箱を示す、立体図
【図３５】  スリッパ状操縦具を用い、足を入て、足で操縦することを示す、立体図
【図３６】  操縦具に、おどり踊る人形を複数接合したことを示す、立体図
【図３７】  操縦具の、いち部に貫通した穴を設け、足裏となる先端を延長した部分を、自由可動に押入し貫通したことを示す、立体図
【図３８】  おどり踊る人形に、おどり踊る人形を、肩ぐるま状態に押入したことを示す、立体図
【図３９】  突出した部分の内側に貫通した穴を設けた、操縦具を示す、立体図
【図４０】  異質の物品を衣裳として着衣したことを示す、立体図
【図４１】  着衣用に、人形を補強した部分を、一例として示す、立体図
【図４２】  形を変えた操縦具を示す、立体図
【図４３】  定位置止め、脱出防止部を有する操縦板を示す、立体図
【発明を実施するための形態】
【００１２】  本発明の実施の形態を図１〜４３に基ずいて説明する
【００１３】  図１は、本発明のおどり踊る人形の全体図となっている、背筋上部輪状遊動部分１、右肩輪状接合部分２、左肩輪状接合部分３、右手４、左手５、右胴体上部輪状接合部分６、右定位置止め７、左胴体となる部分８、右足９、右足指先１０、右足裏となる部分１１、左胴体上部輪状接合部分１２、左定位置止め１３、左胴体となる部分１４、左足１５、左足指先１６、左足裏となる部分１７、背筋下部に接合する輪状接合部分１８、右腰輪状遊動部分１９、左腰輪状遊動部分２０、背筋になる部分２１、頭になる部分２２、顔になる部分２３、おもちゃ箱をかける補助具２４、背筋最下部輪状接合部分２５、展示物品、太鼓等を展示する補助具２６、うちわの扇部分２７、うちわの柄部分２８、折曲し傾斜をつけた柄２９、仮定の中心線３０、重量のある物質３１  筒状ケース３２  空白部分３３、脱出防止部３４  筒状ケースを巻着する手３５、たたけば音のでるかたい物質３６、定位置止め補助具３７、操縦者の左手３８  操縦者の右手３９、操縦具４０、輪を２連設したうちわの柄押入具４１、となっている、操縦者が操縦すると速対応して踊り始める。
【００１４】  図２は、背筋上部輪状遊動部分１、右肩輪状接合部分２、左肩輪状接合部分３、右手４、左手５、空白部分３３、筒状ケースを巻着する手３５、輪を２連設したうちわの柄押入具４１を設け、第１組の部分となっている、今回の材質はバネのように復元力の強い、針金状物質を用いている、個々の部品を連設し空白部分を設けたことが、特徴となっている
【００１５】  図３は、右胴体上部輪状接合部分６、空白部分３３、右胴体となる部分８、右定位置止め７、右足９、右足指先１０、右足裏となる部分１１を設け、第２組の部品となっている
【００１６】  図４は、左胴体上部輪状接合部分１２、空白部分３３、左定位置止め１３、左胴体となる部分１４、左足１５、左足指先１６、左足裏となる部分１７を設け、第３組の部品となっている
【００１７】  図５は、背筋下部に接合する輪状接合部分１８、右腰輪状遊動部分１９、左腰輪状遊動部分２０、空白部分３３を設け、第４組の部品となっている
【００１８】  図６は、背筋になる部分２１、頭になる部分２２、顔になる部分２３、おもちゃ箱をかける補助具２４、背筋最下部輪状接合部分２５  展示物品、太鼓等を展示する補助具２６  空白部分３３を設け、第５組の部品となっている
【００１９】  図７は、たたけば音の出るかたい物質３６を接合した、操縦具４０を示している、たたいて操縦すると勢いのある明るい踊りに大変身する、なを、第６組の部品となっている。
【００２０】  図８は、図２に示す第１組の部品に  図３、図４に示す第２組、第３組の部品を接合した状態を示している、背筋上部輪状遊動部分１、右肩輪状接合部分２、左肩輪状接合部分３、右手４、左手５、右胴体上部輪状接合部分６、定位置止め７  右胴体となる部分８、右足９、右足指先１０、右足裏となる部分１１、左胴体上部輪状接合部分１２、定位置止め１３  左胴体となる部分１４、左足１５、左足指先１６、左足裏となる部分１７、空白部分３３となっている
【００２１】  図９は  図５に示す第４組の部品に、図６に示す第５組の部品を接合した状態を示している、背筋になる部分２１、頭になる部分２２、顔になる部分２３、おもちゃ箱をかける補助具２４、背筋最下部輪状接合部分２５、右腰輪状遊動部分１９、左腰輪状遊動部分２０、背筋下部に接合する輪状接合部分１８、空白部分３３、展示物品、太鼓等を展示する補助具２６となっている。
【００２２】  図１０は、図８に示す接合した状態を示す部品に、図９に示す接合した状態を示す部品を接合し、部品が人形の形、姿になったことを示している、背筋上部輪状遊動部分１、右肩輪状接合部分２、左肩輪状接合部分３、右手４、左手５、右胴体上部輪状接合部分６、右定位置止め７、右胴体となる部分８、右足９  右足指先１０、右足裏となる部分１１、左胴体上部輪状接合部分１２、左定位置止め１３、左胴体となる部分１４、左足１５、左足指先１６  左足裏となる部分１７、背筋下部に接合する輪状接合部分１８、右腰輪状遊動部分１９、左腰輪状遊動部分２０、背筋になる部分２１、頭になる部分２２、顔になる部分２３、おもちゃ箱をかける補助具２４、背筋最下部輪状接合部分２５、展示物品、太鼓等を展示する補助具２６、空白部分３３、筒状ケースを巻着する手３５、輪を２連設したうちわの柄押入具４１となっている、図７に示す操縦具４０に右足裏となる部分１１、左足裏となる部分１７を接合すると人形の完成が見えてくる。（図１を参照）
【００２３】  図１１は、本発明の筒状ケース３２を用いたうちわの全体図を示している、うちわの扇部分２７  うちわの柄部分２８、折曲し傾斜をつけた柄２９、重量のある物質３１、筒状のケース３２、空白部分３３、脱出防止部３４、仮定の中心線３０となっている、本発明の回るうちわ、のすごい箇所を、重力、遠心力、重量の差、傾斜をつけた柄、筒状ケース内に生じさせた空白部分、脱出防止部でなる回るうちわの個々の力を総合させて、本発明のおどり踊る人形の手の先端部分に接合したことにある、人形が踊り出すと速反応する。
【００２４】  図１２は、本発明の、輪を２連設したうちわの柄押入具４１を用いた、うちわの全体図を示している、うちわの扇部分２７、うちわの柄部分２８、折曲し傾斜をつけた柄２９、仮定の中心線３０、重量のある物質３１、空白部分３３となっている、今回の材質は選択して針金状物質を用いている、個々の部品を連設したことが特徴となっている
【００２５】  図１３は、図７に示す、操縦具４０に接合する人形の足裏となる部分、右足裏となる部分１１（左足裏となる部分１７）に、定位置止め補助具３７を用い接合した状態を示している  なを、右足指先１０が上方に傾斜している、矢印が示すように上下に自由可動となっている、人形製作時の材質、人形の大きさ等で、固定になる、自由可動になる、着脱自由になる、選択して適合する接合の形態を用いるようになっている、右足９、右足裏となる部分１１、右足指先１０、定位置止め補助具３７、空白部分３３となっている
【００２６】  図１４は、部品を製作時、材質、人形の大きさ等々によって状況がかわり、背筋上部輪状遊動部分１が直立になり、右肩輪状接合部分２、左肩輪状接合部分３が、横（水平）になっていることを示している、右手４、左手５の長さ、接曲する位置、空白部分３３の大小によって踊りかたが、女踊りになる、やさしい表現になる、男踊りになる、激しい表現になる、個々の部品を製作時の状態にあわせ適合する、型、角度、長さ、短い、女踊り、男踊り、等々を選択し適合する部品を設け使用するようになっている。（図２を参照）
【００２７】  図１５は、背筋下部に接合する輪状接合部分１８が横（水平）になり、右腰輪状遊動部分１９、左腰輪状遊動部分２０が、少々直立になっていることを示している、個々の部品を製作時の状態にあわせ、適合する型、角度、長さ、短い、大、小、等々を選択して使用するようになっている。（図５を参照）
【００２８】  図１６は、図６に示す背筋になる部分２１を有する部品、第５組となる部品の、頭になる部分２２の上部に連設で  突出した心棒４６、適合する間をあけて受け皿状落下防止部４７を設けたことを示している、なを、頭になる部分２２、顔になる部分２３、背筋になる部分２１、おもちゃ箱をかける補助具２４、背筋最下部輪状接合部分２５、展示物品太鼓等を展示する補助具２６となり、第７組の部品となっている
【００２９】  図１７は、図６に示す背筋になる部分２１を有する部品  第５組となる部品の、頭になる部分２２、顔になる部分２３を削除して、削除した位置に、突出した心棒４６、適合する間をあけて、受け皿状の落下防止部４７を設けたことを示している、なを、背筋になる部分２１、おもちゃ箱をかける補助具２４、展示物品太鼓等を展示する補助具２６、接合の形態を変えた接合部分４４となり、第８組の部品となっている。
【００３０】  図１８は、本発明のおどり踊る人形が踊り始め、定位置外に食み出さないように、停止した理由を示している、筒状ケースを巻着する手３５が前に下がり、定位置に来ると、右肩輪状接合部分２、左肩輪状接合部分３が、右胴体上部輪状接合部分６の下部に接触して停止する（停止した理由を示す４２を参照）左胴体上部輪状接合部分１２の下部に接触して停止する（停止した理由を示す４２を参照）背筋上部輪状遊動部分１が背筋になる部分２１に接触して停止する（停止した理由を示す４２を参照）梃の状態になっている
【００３１】  図１９は、本発明のおどり踊る人形が踊り始め  定位置外に食み出さないように、停止した理由を示している  筒状ケースを巻着する手３５が上部後方に上がり、定位置に来ると、背筋上部輪状遊動部分１が背筋になる部分２１に接触して停止する（停止の理由を示す４２を参照）梃の状態になっている、なを、右胴体上部輪状接合部分６、左胴体上部輪状接合部分１２、右肩輪状接合部分２、左肩輪状接合部分３、頭になる部分２２、停止した理由を示す４２となっている
【００３２】  図２０は、本発明のおどり踊る人形が、踊り始めると、人形の姿、形が流動的に変化することを示している、図に書けない人形の姿、形が多々あるので一例を示している、個々の部品が、個々の役割を果している、人形全体が恊力して踊っていることを点線で示している、なを、背筋上部輪状遊動部分１、右肩輪状接合部分２、左肩輪状接合部分３、頭になる部分２２、背筋下部に接合する輪状接合部分１８、右腰輪状遊動部分１９、左腰輪状遊動部分２０、背筋最下部輪状接合部分２５、展示物品、太鼓等を展示する補助具２６、空白部分３３、筒状ケースを巻着する手３５、となっている。
【００３３】  図２１は、筒状ケースを巻着する手３５を下げると  背筋最下部輪状接合部分２５、背筋になる部分２１、頭になる部分２２が、ほぼ直立になり踊っているひとまくを示している  なを、背筋上部輪状遊動部分１、右肩輪状接合部分２、左肩輪状接合部分３、右胴体上部輪状接合部分６、左胴体上部輪状接合部分１２、頭になる部分２２、背筋になる部分２１、背筋下部に接合する輪状接合部分１８、右腰輪状遊動部分１９、左腰輪状遊動部分２０となっている、更に  背筋最下部輪状接合部分２５が、ほぼ直立の状態になっている図２２を示す、背筋最下部輪状接合部分２５と対比して踊っていることを示している。
【００３４】  図２２は、筒状ケースを巻着する手３５を上方にあげると、背筋最下部輪状接合部分２５  背筋になる部分２１、頭になる部分２２、が前に大きく傾斜して踊りの大きさ、美しさを示している、なを、このばあい、背筋最下部輪状接合部分２５の役割りは主要なことを示している、図２１と対比して踊っていることを示している、背筋上部輪状遊動部分１  右肩輪状接合部分２  左肩輪状接合部分３、右胴体上部輪状接合部分６、左胴体上部輪状接合部分１２、背筋下部に接合する輪状接合部分１８、右腰輪状遊動部分１９、左腰輪状遊動部分２０となっている
【００３５】  図２３は、後方から見た人形を示している、筒状ケースを巻着する手３５を下げている図が  図２１を示す、点線で筒状ケースを巻着する手３５を上方にあげている図が、図２２を示す、頭になる部分２２、筒状ケースを巻着する手３５が空白部分３３と協力して、遊動し踊っていることを示している、なを  背筋上部輪状遊動部分１、右肩輪状接合部分２、左肩輪状接合部分３、背筋になる部分２１、右胴体上部輪状接合部分６、左胴体上部輪状接合部分１２、となっている、図２１と図２２を対比したことを点線で示している
【００３６】  図２４は、基本的に右の操縦板４３を上げれば、人形の右胴体となる部分側が上ることを示している、なを、操縦者の左手３８、操縦者の右手３９、右手４、左手５となっている、なを、右胴体となる部分８となっている。
【００３７】  図２５は、背筋になる部分２１が右定位置止め７、左定位置止め１３の間を自由に上下動できることを示している、背筋下部に接合する輪状接合部分１８、右腰輪状遊動部分１９、左腰輪状遊動部分２０も背筋下部に接合する輪状接合部分１８にともなって自由に右定位置止め７、左定位置止め１３の間を上下動できることを示している、なを、左手３８、右手３９、操縦板４３、となっている。
【００３８】  図２６は、基本的に左の操縦板４３を下げれば、人形の左胴体となる部分１４側が下ることを示している、なを、右手４、左手５、操縦者の左手３８、操縦者の右手３９、操縦板４３となっている、操縦板は縦横無尽に動かして操縦することができる
【００３９】  図２７は、基本的に右の操縦板を下げれば、人形の右胴体となる部分８側が下がることを示している、なを、操縦板４３、右手４、左手５、左胴体となる部分１４、操縦者の左手３８、操縦者の右手３９となっている、操縦板は縦横無尽に動かすことができる。
【００４０】  図２８は、請求項２に示すおどり踊る人形の全体図となっている、背筋上部遊動部分１  右肩輪状接合部分２、左肩輪状接合部分３、右手４  左手５、右胴体上部輪状接合部分６、右定位置止め７、右胴体となる部分８、右足９、右足指先１０、右足裏となる部分１１  左胴体上部輪状接合部分１２、左定位置止め１３、左胴体となる部分１４、左足１５、左足指先１６、左足裏となる部分１７、背筋下部に接合する輪状接合部分１８、右腰輪状遊動部分１９、左腰輪遊動部分２０、背筋になる部分２１、頭になる部分２２  顔になる部分２３、おもちゃ箱をかける補助具２４、背筋最下部輪状接合部分２５、展示物品、太鼓等を展示する補助具２６、うちわの扇部分２７、うちわの柄部分２８、折曲し傾斜をつけた柄２９、仮定の中心線３０、重量のある物質３１、筒状ケース３２、空白部分３３  脱出防止部３４・たたけば音の出るかたい物質３６、筒状ケースを巻着する手３５、定位置止め補助具３７、操縦者の左手３８、操縦者の右手３９、操縦具４０、輪を２連設したうちわの柄押入具４１、突出した心棒４６、受け皿状落下防止部４７、冠置した展示物品５４となっている、なを、人物を操縦具に着脱自由に接合可能となっている
【００４１】  図２９は、突出した心棒４６に、押入する穴を有する展示物品４５を、冠置したことを示している、なを、頭になる部分２２、顔になる部分２３、背筋になる部分２１、接合の形態を変えた接合部分４４を示している、更に、展示物品、太鼓等を展示する補助具２６に展示された物品を、ほぼ正面を向かせ、遊動させる時に、形態を変えた接合部分４４を使用すると、展示物品が確実に正面を向いて、遊動するようになっている、人形が踊り始めると冠置した展示物品が速反応して、遊動し人形と共に踊り始める。
【００４２】  図３０は、頭になる部分２２を除去し  突出した心棒４６、受け皿状落下防止部４７を設けたことを示している、なを、押入する穴を有する展示物品４５となっている
【００４３】  図３１は、突出した心棒４６に、冠置した展示物品５４を示し、なを、受け皿状落下防止部４７を示している、冠置した展示物品は、人形が踊り始めると、共に踊り始める。
【００４４】  図３２は、展示物品、太鼓等を展示する補助具２６に、展示物品を冠置したことを示している、接合の形態を変えた接合部分４４を使用しているので、冠置した展示物品５４が前面を向いて遊動している、なを、幟５５を右手４、左手５で持っていることを示し、提灯、鳴り物類は総て持てることを示す、背筋下部に接合する輪状接合部分１８となる。
【００４５】  図３３は、請求項４に示す、本発明のおどり踊る人形の右足裏となる部分１１、左足裏となる部分１７の、左右両足の裏となる部分と操縦具４０の間に用途に適合する物体を挟み、操縦可能としたことを示す、舞台になる箱５１、操縦具の出入口５０、操縦具の補強物質４９、操縦具が移動する溝状の穴４８、背筋になる部分２１、頭になる部分２２、顔になる部分２３、突出した心棒４６、押入する穴を有する展示物品４５、受け皿状落下防止部４７、接合の形態を変えた接合部分４４、となっている。（図２８参照）
【００４６】  図３４は、請求項４に示す、本発明のおどり踊る人形の右足裏となる部分１１、左足裏となる部分１７の、左右足の裏となる部分と操縦具４０の間に用途に適合する物体を挟み  操縦可能としたことを示す、舞台になる箱５１、操縦具の出入口５０、操縦者の左手３８、操縦具の補強物質４９、操縦具４０、操縦者の右手３９、操縦具が移動する溝状の穴４８、右定位置止め７、左定位置止め１３、展示物品、太鼓等を展示する補助具２６、おもちゃ等を入れる箱５２  左胴体上部輪状接合部分１２、背筋が変化した輪状定位置止め５３、背筋上部輪状遊動部分１、操縦具に接合した台車６１となっている、なを、体格が特大、等身大、の大きいおどり踊る人形を制作時には、舞台になる箱を応用して、人形の倒壊を防止できる土台を設けるようになっている。
【００４７】  図３５は  おどり踊る人形の右足裏となる部分１１、左足裏となる部分１７の、左右足の裏となる部分と操縦具４０の間に、用途に適合する物体を挟み、操縦可能としたことを示す  突出した心棒４６、受け皿状落下防止部４７、頭になる部分２２、背もたれ状部分５９、操縦者の左足５６、操縦者の右足５７、スリッパ状の操縦具６０、操縦具が移動する溝状の穴４８となっている、操縦具に足を入れて足を上下動すると踊り始める、おどり踊る人形を設けている。
【００４８】図３６は、おどり踊る人形６６を、操縦具４０に複数接合したことを示している、操縦すると複数の接合した人形が、同時に踊ることを示している、定位置止め補助具３７となっている、操縦具４０の先端部分に、収縮自由に自由可動する、左右操縦具の別離止め７９を設けている、操縦すると複数の、おどり踊る人形が速同時に踊り始める  操縦具４０に人形を接合時、固定にする  半固定にする  自由可動にする  適合する形態にして接合可能となっている、おどり踊る人形を設けている
【００４９】図３７は、操縦具を貫通した穴６２に、重ねて支柱になった部分７２を、自由可動に押入し貫通していることを示している、重ねて支柱になった部分７２の図が平行に並んでいるように見えるが、丸く束ねている、重量を持たせて人形の踊りを安定させている、人形の下部に重量をもたせると、操縦具４０と人形の関係がよくなる、操縦補助具兼脱出防止部６９を少々大きくして重量をもたせている、普通の大きさの操縦具４０に使用する物品は、ペットボトル、しょうゆさし、グラス、あき箱、あきびん、家庭用品、木類、等々諸々のなかより選択して、手にもてる大きさ、美しさ、適合可能な物品であれば、総て、使用可能となっている、おどり踊る人形を設けている
【００５０】  図３８は、おどり踊る人形の、右胴体上部輪状接合部分６、左胴体上部輪状接合部分１２、に連接して後方に、着脱自由の押入部定位置止め６４を有する人形を設けている、別途の人形の足裏となる先端を延長して、着脱自由の押入部分６５を有する人形を、別途に設けている、着脱自由の押入部定位置止め６４に、着脱自由の押入部分６５を押入している、肩ぐるま状態になった上下の人形を設けている、操縦すると上下の人形が速踊り始める、おどり踊る人形を設けている
【００５１】  図３９は、操縦具４０の、いち部に突出した部分７０を設けている、突出した部分７０の内側に、貫通した穴６２を設けている、足裏となる先端を延長した部分６３を押入している、自由可動となって貫通したことを示している、この操縦具４０を操縦するには複数以上の方法があるが、基本的に３種類の操縦方法がある、第１には、右足指先１０、左足指先１６、の片方を手の親指で軽く、おさえると固定の状態となって操縦可能となっている、第２には、操縦補助具兼脱出防止部６９を、手の指先６８で下からうけるように、かるく  接触して操縦の補助をすると、静かな、やさしい踊りになる、第３には、第１、第２を使用せずに、操縦具４０を手にもって操縦すると、元気いっぱいの明るい踊りになる  音楽に合わせ、適合する方法で操縦するようになっている、操縦具に貫通した穴６２を設けたことで、人形の操縦が、遊動状態で操縦可能となり、操縦の幅が倍増したことが最大の特徴となったことを示している、おどり踊る姿、形も倍増している、なを、背筋上部輪状遊動部分１、右胴体上部輪状接合部分６、空白部分３３、回るうちわ７３、仮定の中線３０、回るうちわの柄部分を延長した輪状の芯７４、重量のある物質３１、筒状ケースを巻着する手３５、脱出防止部３４、右肩輪状接合部分２、右定位置止め７、右腰輪状遊動部分１９  重ねて支柱になった部分７２、右足指先１０、手の指先６８、操縦補助具兼脱出防止部６９、足裏となる先端を延長した部分６３、操縦具を貫通した穴６２、突出した部分７０、操縦具４０、操縦者の右手３９、左足指先１６、背筋下部に接合する輪状接合部分１８、左定位置止め１３、左腰輪状遊動部分２０、背筋最下部輪状接合部分２５、背筋になる部分２１、左肩輪状接合部分３、左胴体上部輪状接合部分１２、となる、おどり踊る人形を設けている。（図１と対比参照）
【００５２】  図４０は、踊りの、普通の衣裳を着衣するのは可能になっているが、異質の物品を衣裳として着衣したことを、一例として示している、異質の衣裳とした筒状の物品７１は、弾力性のある収縮自由の物質をはじめとして、諸々の物質より選択して適合する物質を用いている、筒状の物品７１を適合する長さ、形として用いている、一箇所を切開している、切開した両端が収縮によって二重に重なっている、図４０の最上部に示す、異質の衣裳とした筒状の物品７１が示すように、開閉自由となり、巻着、巻脱、自由となっている、点線７６は開閉自由なことを示している、他に示す、異質の衣裳とした筒状の物品７１も総て同じ仕組となっている、切開した両端が二重に重なった部分７５となっている、なを、重ねて支柱になった部分７２が、操縦具を貫通した穴６２を貫通したことを示している、おどり踊る人形を設けている
【００５３】  図４１は、着衣用に補強した部分７７を設けたことを一例として示している、重ねて支柱になった部分７２が変化したことを示している、適合する形にして用いることを示している、操縦補助具兼脱出防止部６９、重量のある物質３１となっている、着衣用に補強した部分７７は、着衣の状態に適合する、かたちに補強するようになっている、おどり踊る人形の着衣用補強部分を設けている
【００５４】  図４２は、人形の大小で操縦具を変更することを示している、おどり踊る人形が手にもてる大きさのときは、操縦具４０を使用する、人形の大きさが、等身大、極大、になると形を変えた操縦具７８を使用する、形を変えた操縦具７８は人形が手にもてる大きさのときも使用できる、形を変えた操縦具７８を上にあげると、まず、筒状ケース３２が動き、次に、半円形状の筒状ケースの心棒８２が動き、次に、操縦具を支える支柱８３が動き、次に、おどり踊る人形が動き踊り始める、個々の部品が連係しているので上下の動きが、速同時と思うほど反応して踊り始める、おどり踊る人形となっている、操縦具４０は、おどり踊る人形が、等身大、極大、となってくると土台状に変更して適合する形に製作し使用可能となっている、なを、右足９、右足指先１０、重ねて支柱になった部分７２、空白部分３３、自由可動の押入部分８１、足裏となる先端を延長した部分６３、操縦者の左手３８、操縦者の右手３９、重量のある物質３１、左足指先１６、左足１５、おどり踊る人形６６、となっている、おどり踊る人形を設けている
【００５５】  図４３は、操縦板４３に、操縦板に接合する直立状部分８４を接合している、操縦板に接合する直立状部分８４の上端に脱出防止部３４を設けている、操縦板に接合する直立状部分８４の下部に、定位置止め１３を設けている、人形の、足裏となる先端を延長した部分６３の上部と下端に、形を変えた操縦具に接合する輪状遊動部分８０を設けている、脱出防止部３４と定位置止め１３の間に、形を変えた操縦具に接合する輪状遊動部分８０を遊動可能に接合している、形を変えた操縦具に接合する輪状遊動部分８０は、脱出防止部３４と定位置止め１３の間を、図４３に示す、矢印のように上下に遊動可能となっている、おどり踊る人形を操縦すると、まず最初に操縦板４３が動き、同時に操縦板に接合する直立状部分８４が動き、続いて、形を変えた操縦具に接合する輪状遊動部分８０が動き始める仕組となっている、速同時に動きが人形全体に間接的に伝わって行くので、踊りの動きが倍増して現実的な踊りになっている、異質の衣裳とした筒状の物品７１を、点線７６で示している、今回の図４３では、異質の衣裳とした筒状の物品７１を、○○大会に出場して入賞、賞状、盾、トロフィー、カップの台部分、等を想定した形の物品を選択して着衣している、押入する穴を有する展示物品４５を、今回の図４３では、○○大会に出場して第１位となり、優勝カップを想定した、かたちの展示物品４５となっている、押入する穴を有する展示物品４５は、諸々の材質を選択して適合する材質を用い、適合する方法で、用途に適合する物品を設け使用可能となっている、なを、背筋上部輪状遊動部分１、回るうちわ７３、筒状ケース３２、右定位置止め７、おどり踊る人形６６、右腰輪状遊動部分１９、背筋下部に接合する輪状接合部分１８、右足９、空白部分３３、定位置止め補助具３７、操縦者の右手３９、操縦者の左手３８、左足指先１６、重ねて支柱になった部分７２、左腰輪状遊動部分２０、背筋最下部輪状接合部分２５、左胴体上部輪状接合部分１２、左肩輪状接合部分３、頭になる部分２２、突出した心棒４６、となっている、且、手首、脛、等の関節にあたる箇所に、輪状接合部分、輪状遊動部分の増減を用い、遊動自由可動の関節を設けることができる、おどり踊る人形を設けている。（図１と対比参照）
【符号の説明】
【００５６】  １  背筋上部輪状遊動部分
２  右肩輪状接合部分
３  左肩輪状接合部分
４  右手
５  左手
６  右胴体上部輪状接合部分
７  右定位置止め
８  右胴体となる部分
９  右足
１０  右足指先
１１  右足裏となる部分
１２  左胴体上部輪状接合部分
１３  左定位置止め
１４  左胴体となる部分
１５  左足
１６  左足指先
１７  左足裏となる部分
１８  背筋下部に接合する輪状接合部分
１９  右腰輪状遊動部分
２０  左腰輪状遊動部分
２１  背筋になる部分
２２  頭になる部分
２３  顔になる部分
２４  おもちゃ箱をかける補助具
２５  背筋最下部輪状接合部分
２６  展示物品、太鼓等を展示する補助具
２７  回るうちわの扇部分
２８  回るうちわの柄部分
２９  折曲し傾斜をつけた柄
３０  仮定の中心線
３１  重量のある物質
３２  筒状ケース
３３  空白部分
３４  脱出防止部
３５  筒状ケースを巻着する手
３６  たたけば音の出るかたい物質
３７  定位置止め補助具
３８  操縦者の左手
３９  操縦者の右手
４０  操縦具
４１  輪を２連設したうちわの柄押入具
４２  停止した理由を示す
４３  操縦板
４４  接合の形態を変えた接合部分
４５  押入する穴を有する展示物品
４６  突出した心棒
４７  受け皿状落下防止部
４８  操縦具が移動する溝状の穴
４９  操縦具の補強物質
５０  操縦具の出入口
５１  舞台になる箱
５２  おもちゃ等を入れる箱
５３  背筋になる部分が変化した輪状定位置止め
５４  冠置した展示物品
５５  幟
５６  操縦者の左足
５７  操縦者の右足
５８  背の高い机
５９  背もたれ状部分
６０  スリッパ状の操縦具
６１  操縦具に接合した台車
６２  操縦具を貫通した穴
６３  足裏となる先端を延長した部分
６４  着脱自由の押入部定位置止め
６５  着脱自由の押入部分
６６  おどり踊る人形
６７  接触すると音の出る物質を接合した部分
６８  手の指先
６９  操縦補助具兼脱出防止部
７０  突出した部分
７１  異質の衣裳とした筒状の部品
７２  重ねて支柱になった部分
７３  回るうちわ
７４  回るうちわの柄部分を延長した輪状の芯
７５  一箇所を切開し、切開した両端が二重に重なった部分
７６  点線
７７  着衣用に補強した部分
７８  形を変えた操縦具
７９  収縮自由に自由可動する、左右操縦具の別離止め
８０  形を変えた操縦具に接合する輪状遊動部分
８１  自由可動の押込部分
８２  半円形状の筒状ケースの心棒
８３  操縦具を支える支柱
８４  操縦板に接合する直立状部分
【手続補正２】
【補正対象書類名】特許請求の範囲
【補正対象項目名】全文
【補正方法】変更
【補正の内容】
【特許請求の範囲】
【請求項１】
主要部分に、輪状接合部分、輪状遊動部分を交互に配置している、配置した双方の位置に生じる空白部分が主要となって、箇々の全部品と連係可能となり全部品が一体となって、操縦者の意志に速反応、速対応し、回るうちわを持って踊り出す人形であって、（ａ）〜（ｍ）で構成を有することを特徴とする、おどり踊る人形
（ａ）背筋上部輪状遊動部分を中心にして、適合する間をおいて左右に、左肩輪状接合部分、右肩輪状接合部分を設け、その左右の先端を延長して手になる部分を設けている、右手の先端に輪を２連設した回るうちわの柄押入具を設けている、左手の先端に回るうちわの柄を押入する、筒状ケースを巻着する手を有する部品を設けている、なを、空白部分が生じている。（図２を参照）
（ｂ）右胴体上部輪状接合部分を設け、下部に適合する間をおいて順次、右定位置止め、右胴体になる部分、右定位置止め、右足、右足指先、右足裏となる部分を有する部品を設けている。なを  空白部分が生じている。（図３を参照）
（ｃ）左胴体上部輪状接合部分を設け、下部に適合する間をおいて順次、左定位置止め、左胴体になる部分、左定位置止め、左足、左足指先、左足裏となる部分を有する部品を設けている、なを、空白部分が生じている。（図４を参照）
（ｄ）背筋下部に接合する輪状接合部分を中心にして、適合する間おいて左右に、左腰輪状遊動部分、右腰輪状遊動部分を有する部品を設けている、なを、空白部分が生じている。（図５を参照）
（ｅ）背筋になる部分の最上端に、頭になる部分、顔になる部分を設け下部に適合する間をおいて順次、おもちゃ箱をかける補助具、背筋最下部輪状接合部分、展示物品太鼓等を展示する補助具を有する部品を設けている、なを空白部分が生じている。（図６を参照）
（ｆ）操縦具の先部分下側に叩けば音の出る硬い物質を接合している、操縦具の先部分上側に、本発明のおどり踊る人形の、足裏となる部分を、接合する。人形の大きさ、特大、等身大、大、中、小、極小、とある。材質、用途によって、固定する、少し遊動する、自由可動にする、選択して適合する操縦具を設けて使用している。（図７を参照）
（ｇ）図２に示す、左肩輪状接合部分と、図３に示す、左胴体上部輪状接合部分を接合している、図２に示す、右肩輪状接合部分と、図４に示す、右胴体上部輪状接合部分を接合している、製作中の部品となっている、なを、空白部分が生じている。（図８を参照）
（ｈ）図５に示す、背筋下部に接合する輪状接合部分に、図６に示す、背筋最下部輪状接合部分を接合している、製作中の部品となっている、なを、空白部分が生じている。（図９を参照）
（ｉ）図８に示す、製作中の部品に、図９に示す、製作中の部品を接合している、人形の本体が完成したことを示している、なを、空白部分が生じている。（図１０を参照）
（ｊ）図１０に示す、本体が完成した人形の右足裏となる部分、左足裏となる部分を、図７に示す、操縦具の先部分上側に接合したことを示している。（図１を参照）
（ｋ）図１１に示す、回るうちわの筒状ケース部分を、図１０に示す、本体が完成した人形の筒状ケースを巻着する手に、巻着したことを示している。（図１を参照）
（ｌ）図１２に示す、回るうちわの柄部分を、図１０に示す、本体が完成した人形の輪を２連設したうちわの柄押入具に、押入したことを示している。（図１を参照）
（ｍ）本発明のおどり踊る人形の体格が、特大、等身大、大、中、小、極小、とある、諸々の人形を製作時、材質、用途によっては個々の部品を分割して製作し、基本的なことは守り、分割した後に適合する形態に変更して製作可能となっている、以上のようになる、おどり踊る人形
【請求項２】
展示した展示物品を回転、遊動させる、突出した心棒、受け皿状落下防止部を設けた、おどり踊る人形の体格が、特大、等身大、大、中、小、極小、とある、用途に適合する２種類のおどり踊る人形を設け、選択して用途に適合する、いっぽうのおどり踊る人形を使用する、おどり踊る人形であって（ａ）〜（ｃ）で構成を有することを特徴とする、おどり踊る人形
（ａ）背筋になる部分の最上端を延長して、突出した心棒を設け、適合する間をおいて下部に順次、受け皿状の落下防止部、頭になる部分、顔になる部分、おもちゃ箱をかける補助具、背筋最下部輪状接合部分、展示物品、太鼓等を展示する補助具を有する部品を用いて、請求項１のおどり踊る人形を設けている。（図２８を参照）
（ｂ）背筋になる部分の最上端に突出した心棒を設け、適合する間をおいて下部に順次、受け皿状の落下防止部、おもちゃ箱をかける補助具、背筋最下部輪状接合部分、展示物品、太鼓等を展示する補助具を有する部品を用いて、請求項１のおどり踊る人形を設けている。（図３０を参照）
（ｃ）、（ａ）に示すおどり踊る人形（ｂ）に示すおどり踊る人形を用途にあわせ、選択して適合する、いっぽうの人形を使用するようになっている、以上のようになる、おどり踊る人形を設けている。
【請求項３】
本発明のおどり踊る人形の体格が、特大、等身大、大、中、小、極小、とある、個々に適合する本発明の、回るうちわを、２種類設けている、材質、大きさ、用途、等々を選択して、適合する、いっぽうのうちわを、左右同じを使用する、左右片ちがいで使用する、回るうちわであって（ａ）〜（ｊ）で構成を有することを特徴とする、回るうちわ
（ａ）回るうちわの扇部分に仮定の中心線を想定し、いっぽうに重量のある物質を接着している、対する、いっぽうを軽くしている、重量に大差のある扇部分を設けている
（ｂ）うちわの扇部分と柄の境界線近くの柄部分を折曲し、傾斜を設けた柄を設けている
（ｃ）扇部分が傾斜を有するように、傾斜を設けた柄に扇部分を接合し、傾斜を有する、うちわを設けている
（ｄ）筒状ケース内に空白部分を残し、うちわの柄が自由に回転できるように（ｃ）に示す、うちわの柄を押入している
（ｅ）筒状ケース内に押入した（ｄ）に示す、うちわの柄先端に脱出防止部を設けている、回るうちわの完成となっている。（図１１を参照）
（ｆ）完成した回るうちわを、おどり踊る人形の筒状ケースを巻着する手に（今回は左手）に巻着させている。（図１を参照）
（ｇ）おどり踊る人形の手の先端部分に（今回は右手）、輪を２連設したうちわの柄押入具を設けている。（図１２を参照）
（ｈ）輪を２連設したうちわの柄押入具内に空白部分を残し、うちわの柄が自由に回転できるように（ｃ）に示す、うちわの柄を押入している
（ｉ）輪を２連設したうちわの柄押入具内に押入した（ｈ）に示す、うちわの柄先端部分に脱出防止部を設けている、回るうちわの完成となっている。（図１を参照）
（ｊ）筒状ケースを用いた、回るうちわ、輪を２連設したうちわの柄押入具、を用いた、回るうちわを、人形の大きさ、材質、用途、等々で選択して左右同じ回るうちわを使用する、片ちがいの回るうちわを使用する、適合するかたちで使用することになっている、以上のようになる、おどり踊る人形が手にもって踊る、回るうちわ
【請求項４】
人形と操縦具を接合時、個々に異なる操縦具を用い、個々に異なる方法を用い、異なる人形を多数設けている、用途に適合する人形を使用する人形であって（ａ）〜（ｌ）で構成を有することを特徴とする、おどり踊る人形
（ａ）諸々の物体を選択して、舞台になる箱を用いている、おどり踊る人形の左右双方の足裏となる部分の先端を延長して、舞台となる箱の上面を貫通している、舞台になる箱の正面にある、操縦具の出入口を通過して、操縦具に接合している、歩行困難の状態、寝たきりの状態でも操縦可能となっている、おどり踊る人形を設けている。（図３３参照）
（ｂ）、（ａ）に示す、おどり踊る人形の突出した心棒に、押入する穴を有する展示物品を押入し、展示した物品が人形と共に踊る、おどり踊る人形を設けている。（図３３を参照）
（ｃ）諸々の物体を選択して、舞台になる箱を応用している、操縦具に接合した台車を、着脱自由にして設けている、台車の数は人形の大きさ用途によって増減できるようになっている、なを、おもちゃ箱を背負っている、背筋になる部分が変化した輪状定位置止めを設けている、おどり踊る人形を設けている。（図３４を参照）
（ｄ）諸々の物体を選択して、背の高い机を用いている、机の天板になる部分に、操縦具が移動する溝状の穴を設けている、人形の左右、双方の足裏となる部分の先端を延長して、操縦具が移動する溝状の穴を通過している、通過した後に足で操縦する、スリッパ状の操縦具に接合した、おどり踊る人形を設けている。（図３５を参照）
（ｅ）操縦具を長くしている、先端部分に、収縮自由、自由可動の操縦具別離止めを設けている、接触すると音の出る物質を接合している、操縦具に、おどり踊る人形を複数接合している、２列、３列、４列、５列、と適合する列を並べて、群舞が可能になっている、操縦すると、おどり踊る人形が速同時に踊り始める、操縦具に、おどり踊る人形を接合時、固定にする、半固定にする、自由可動にする、着脱自由にする、適合する形態にして接合可能となっている、おどり踊る人形を設けている。（図３６を参照）
（ｆ）操縦具の、いち部に貫通した穴を設けている、おどり踊る人形の左足裏となる先端、右足裏となる先端、双方の足裏となる先端を延長して、貫通した穴に押入している、自由可動、遊動可能になっている、貫通している操縦具を設けている、普通の大きさの操縦具製作に用いる物品は、木類、ペットボトル、しょうゆさし、グラス、あき箱、あきびん、小物入れ、家庭用品、等々、手にもてる大きさ、美しさ、適合する物品であれば総て使用可能になっている、おどり踊る人形を設けている。（図３７を参照）
（ｇ）おどり踊る人形の、右胴体上部輪状接合部分、左胴体上部輪状接合部分に、連接して後方に、着脱自由の、押入部定位置めを有する人形を設けている、別途の人形の足裏となる部分先端を延長して、着脱自由の押入部分を有する人形を設けている、着脱自由の押入部定位置止めに、着脱自由の押入部分を押入している、肩ぐるま状態の上下になった人形を設けている、操縦すると上下の人形が速同時に踊り始める、おどり踊る人形を設けている。（図３８を参照）
（ｈ）操縦具の、いち部に突出した部分を設け、突出した内側に貫通した穴を設けている、人形の足裏となる部分先端を延長して、貫通した穴に押入し貫通している、自由可動となった操縦具を設けている、足指先となる部分を軽く押さえて操縦すると、固定の状態となる、操縦補助具兼脱出防止部を、手の指先で軽く接触して操縦すると、半固定の状態となる、操縦具を持って操縦すると自由可動となる、固定、半固定、自由可動、を混合して操縦することも可能になっている、おどり踊る人形を設けている。（図３９を参照）
（ｉ）異質の衣裳とした筒状の物品を、おどり踊る人形に着衣したことを示している、着衣、脱衣は自由になっている、筒状の物品の一箇所を切開して適合させる仕組となっている、異質の衣裳に用いる材質は、無限の材質のなかより適合する材質を選択して用いることができる、おどり踊る人形を設けている。（図４０を参照）
（ｊ）おどり踊る人形に、着衣用に補強した部分を設けた、一例を示している、補強した部分は、着衣の状態、物質の状態、等々によって、適合可能に変更して設けることになっている、おどり踊る人形を設けている。（図４１を参照）
（ｋ）人形の大小で操縦具を変更することになっている、おどり踊る人形が手にもてる大きさのときは、操縦具４０を使用する、人形の大きさが、等身大、極大、になると、形を変えた操縦具７８を使用する、形を変えた操縦具７８は人形が手にもてる大きさのときも使用できる、操縦時、形を変えた操縦具７８を上にあげると、順次、筒状ケース３２、半円形状の筒状ケースの心棒８２、操縦具を支える支柱８３、が動き次に、おどり踊る人形６６が動き踊り始める、個々の部品が連係しているので、操縦と同時に、おどり踊る人形６６が踊り始める、おどり踊る人形６６の体格が、等身大、極大になってくると、操縦具４０は土台状に変更して、適合する形に制作して使用可能となっている、おどり踊る人形を設けている。（図４２を参照）
（ｌ）操縦板４３に、操縦板に接合する直立状部分８４を接合している、操縦板に接合する直立状部分８４の上端に、脱出防止部３４を設けている、操縦板に接合する直立状部８４の下部に、定位置止め１３を設けている、おどり踊る人形の足裏となる先端を延長した部分６３の上部と下端に、形を変えた操縦具に接合する輪状遊動部分８０を設けている、脱出防止部３４と定位置止め１３の間に、形を変えた操縦具に接合する輪状遊動部分８０を、遊動可能に接合している、形を変えた操縦具に接合する輪状遊動部分８０は、脱出防止部３４と定位置止め１３の間を上下を主にして遊動可能になっている、異質の衣裳とした筒状の物品７１を点線７６で示している、点線７６は、賞状、盾、トロフィー、カップの台部分、等を想定した形の物品を選択して適合する物品を設けている、押入する穴を有する展示物品４５は、今回の図に限り優勝カップを想定している、おどり踊る人形が踊り始めると速遊動するようになっている、押入する穴を有する展示物品４５は、諸々の材質を選択して適合する材質を用い、適合する方法で、用途に適合する物品を設け使用可能となっている、且、手首、脛、等の関接にあたる箇所に、輪状接合部分、輪状遊動部分の増減を用い、用途に適合する関接を設け使用できる、おどり踊る人形を設けている、（図４３を参照）、各請求項に記載のことは、各請求項ともに共有して使用可能となっている。
【手続補正４】
【補正対象書類名】図面
【補正対象項目名】全図
【補正方法】変更
【補正の内容】
【図１】
2012250013.tif 000038
【図２】
2012250013.tif 000039
【図３】
2012250013.tif 000040
【図４】
2012250013.tif 000041
【図５】
2012250013.tif 000042
【図６】
2012250013.tif 000043
【図７】
2012250013.tif 000044
【図８】
2012250013.tif 000045
【図９】
2012250013.tif 000046
【図１０】
2012250013.tif 000047
【図１１】
2012250013.tif 000048
【図１２】
2012250013.tif 000049
【図１３】
2012250013.tif 000050
【図１４】
2012250013.tif 000051
【図１５】
2012250013.tif 000052
【図１６】
2012250013.tif 000053
【図１７】
2012250013.tif 000054
【図１８】
2012250013.tif 000055
【図１９】
2012250013.tif 000056
【図２０】
2012250013.tif 000057
【図２１】
2012250013.tif 000058
【図２２】
2012250013.tif 000059
【図２３】
2012250013.tif 000060
【図２４】
2012250013.tif 000061
【図２５】
2012250013.tif 000062
【図２６】
2012250013.tif 000063
【図２７】
2012250013.tif 000064
【図２８】
2012250013.tif 000065
【図２９】
2012250013.tif 000066
【図３０】
2012250013.tif 000067
【図３１】
2012250013.tif 000068
【図３２】
2012250013.tif 000069
【図３３】
2012250013.tif 000070
【図３４】
2012250013.tif 000071
【図３５】
2012250013.tif 000072
【図３６】
2012250013.tif 000073
【図３７】
2012250013.tif 000074
【図３８】
2012250013.tif 000075
【図３９】
2012250013.tif 000076
【図４０】
2012250013.tif 000077
【図４１】
2012250013.tif 000078
【図４２】
2012250013.tif 000079
【図４３】
2012250013.tif 000080